Podtech/llm-jp-corpus-v4-ja_patent huggingface dataset:
【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
設定値を設定可能な遊技機であって、
乱数値を抽出するとともに遊技の進行を制御する遊技制御手段と、
前記遊技制御手段から出力されたコマンドに基づいて演出を制御する演出制御手段と、
遊技に関わる数値を用いて算出された数値を表示するセグメント表示器と、
前記遊技制御手段および前記セグメント表示器を含む複数種類の電子部品が搭載された遊技制御基板と、
前記演出制御手段を含む複数種類の電子部品が搭載された演出制御基板と、を備え、
前記遊技制御手段は、
前記乱数値に基づいて可変表示を実行可能であり、
前記乱数値を加工した特定コマンドを前記演出制御手段に出力し、
前記演出制御手段は、前記遊技制御手段から出力された前記特定コマンドから前記乱数値を復元し、復元された前記乱数値に基づいて可変表示に対応した演出を制御し、
前記可変表示に対応した演出は、前記特定コマンドを送信する契機となった可変表示に関する先読み演出を含み、
前記遊技制御基板に搭載された前記遊技制御手段および特定電子部品は、各々対応する型番が記されており、
前記特定電子部品は、前記遊技制御基板に複数搭載されており、複数の該特定電子部品に記された型番は同一の大きさ、同一の形状で記されており、
前記遊技制御手段の型番は、前記遊技制御基板に複数搭載された前記特定電子部品のいずれの型番よりも大きく記されており、
前記遊技制御手段に記された型番、複数の前記特定電子部品に記された型番、および前記セグメント表示器の数値は、一方向から見たときに向きが共通するようになっている、遊技機。
【手続補正２】
【補正対象書類名】明細書
【補正対象項目名】０００６
【補正方法】変更
【補正の内容】
【０００６】
（Ａ）本発明の遊技機は、
設定値を設定可能な遊技機であって、
乱数値を抽出するとともに遊技の進行を制御する遊技制御手段と、
前記遊技制御手段から出力されたコマンドに基づいて演出を制御する演出制御手段と、
遊技に関わる数値を用いて算出された数値を表示するセグメント表示器と、
前記遊技制御手段および前記セグメント表示器を含む複数種類の電子部品が搭載された遊技制御基板と、
前記演出制御手段を含む複数種類の電子部品が搭載された演出制御基板と、を備え、
前記遊技制御手段は、
前記乱数値に基づいて可変表示を実行可能であり、
前記乱数値を加工した特定コマンドを前記演出制御手段に出力し、
前記演出制御手段は、前記遊技制御手段から出力された前記特定コマンドから前記乱数値を復元し、復元された前記乱数値に基づいて可変表示に対応した演出を制御し、
前記可変表示に対応した演出は、前記特定コマンドを送信する契機となった可変表示に関する先読み演出を含み、
前記遊技制御基板に搭載された前記遊技制御手段および特定電子部品は、各々対応する型番が記されており、
前記特定電子部品は、前記遊技制御基板に複数搭載されており、複数の該特定電子部品に記された型番は同一の大きさ、同一の形状で記されており、
前記遊技制御手段の型番は、前記遊技制御基板に複数搭載された前記特定電子部品のいずれの型番よりも大きく記されており、
前記遊技制御手段に記された型番、複数の前記特定電子部品に記された型番、および前記セグメント表示器の数値は、一方向から見たときに向きが共通するようになっている。
（１）他の遊技機は、遊技者にとって有利度が異なる複数の設定値のうちいずれかの設定値に設定可能な遊技機（例えば、スロットマシン、パチンコ遊技機等）であって、
遊技の進行を制御する遊技制御手段（例えば、ＣＰＵ１０３等）と、
前記遊技制御手段から出力されたコマンドに基づいて演出を制御する演出制御手段（例えば、演出制御用ＣＰＵ１２０等）と、
乱数値（例えば、ＭＲ１〜ＭＲ３等）を抽出する抽出手段（例えば、図５のＳ１０１等）と、
複数種類の電子部品（例えば、主要回路、入力回路、出力回路、入出力端子、抵抗、トランジスタ、コンデンサ等）が搭載された基板（例えば、基板１Ｚ等）とを備え、
前記遊技制御手段は、
前記抽出手段から抽出された前記乱数値に基づいて可変表示を実行可能であり（例えば、図５のＳ１１２等）、
前記乱数値を加工した（例えば、図８−４の８３ＦＳ０３１等）特定コマンド（例えば、乱数値送信用コマンド１〜４等）を前記演出制御手段に出力し（例えば、図８−４の８３ＦＳ０３１、図４のＳ２７等）、
前記演出制御手段は、前記遊技制御手段から出力された前記特定コマンドから前記乱数値を復元し（例えば、図８−５の８３ＦＳ０４２等）、復元された前記乱数値に基づいて可変表示に対応した演出（例えば、先読み予告演出等）を制御し（例えば、図８−６の８３ＦＳ０６６等）、
前記複数種類の電子部品は、文字情報（例えば、上第１出力回路１１Ａ、中第１出力回路１１Ｂ、下第１出力回路１１Ｃに記載された「型番１」の文字等）が記された複数の特定電子部品（例えば、上第１出力回路１１Ａ、中第１出力回路１１Ｂ、下第１出力回路１１Ｃ等）を含んでおり、
前記複数の特定電子部品は、それぞれに記された前記文字情報の向きが共通する（例えば、上第１出力回路１１Ａ、中第１出力回路１１Ｂ、下第１出力回路１１Ｃに表示された「型番１」の文字は、いずれもその文字を見る者が読みやすい向きを向いている等）ように前記基板に搭載されている。
【手続補正３】
【補正対象書類名】明細書
【補正対象項目名】０２２４
【補正方法】変更
【補正の内容】
【０２２４】
図８−５は、先読み変動パターンコマンド解析処理として、図６のＳ７５で実行される処理の一例を示すフローチャートである。演出制御用ＣＰＵ１２０は、先読み演出に関する特定条件が成立したときに、先読み変動パターンコマンド解析処理において、ＣＰＵ１０３が図８−４の８３ＦＳ０３２により送信した乱数値送信用コマンド１〜４を解析する処理をする。
【手続補正４】
【補正対象書類名】明細書
【補正対象項目名】０２９９
【補正方法】変更
【補正の内容】
【０２９９】
主要回路１０Ｚは、図９−８に示す第５出力回路１５Ａに第１セグメント表示部５１〜第４セグメント表示部５４の各セグメントの点灯及び消灯（点滅）の制御を行う点灯制御信号送信する。主要回路１０Ｚでは、スロットマシンにおける役比に関する数値が算出されており、算出された数値等を第１セグメント表示部５１〜第４セグメント表示部５４の各セグメントを点灯、消灯させることによって表示する。このため、主要回路１０Ｚは、第１セグメント表示部５１〜第４セグメント表示部５４の各セグメントを点灯させるための点灯制御信号を第５出力回路１５Ａに出力し、第５出力回路１５Ａから第１セグメント表示部５１〜第４セグメント表示部５４に出力する。第５出力回路１５Ａは、例えば遊技者が視認するランプの点灯・点滅等に関する信号を出力する。
【手続補正書】
【提出日】令和3年5月21日(2021.5.21)
【手続補正１】
【補正対象書類名】明細書
【補正対象項目名】０００６
【補正方法】変更
【補正の内容】
【０００６】
上記課題を解決するため、本発明に係るランニング解析装置は、
被測定者に装着された加速度センサから取得される加速度情報に基づき前記被測定者のランニングを解析するランニング解析装置であって、
前記被測定者のランニング中に前記加速度センサで検出された前記被測定者の進行方向に対して垂直方向上向きの加速度に対応する加速度情報を取得する取得手段と、
前記取得手段によって取得された前記加速度情報が示す前記垂直方向上向きの加速度の最低値が所定の閾値以上である場合、両足が地面に接地している期間を有する走法であると前記被測定者の走法を判断する判断手段と、
を備えることを特徴とするランニング解析装置。
【手続補正２】
【補正対象書類名】特許請求の範囲
【補正対象項目名】全文
【補正方法】変更
【補正の内容】
【特許請求の範囲】
【請求項１】
被測定者に装着された加速度センサから取得される加速度情報に基づき前記被測定者のランニングを解析するランニング解析装置であって、
前記被測定者のランニング中に前記加速度センサで検出された前記被測定者の進行方向に対して垂直方向上向きの加速度に対応する加速度情報を取得する取得手段と、
前記取得手段によって取得された前記加速度情報が示す前記垂直方向上向きの加速度の最低値が所定の閾値以上である場合、両足が地面に接地している期間を有する走法であると前記被測定者の走法を判断する判断手段と、
を備えることを特徴とするランニング解析装置。
【請求項２】
前記取得手段によって取得された前記垂直方向上向きの加速度の最低値は、ランニング周期のうち一の足の最下時から他の足の接地時までの間を対象とした最低値であることを特徴とする請求項１に記載のランニング解析装置。
【請求項３】
前記取得手段によって取得された前記加速度情報に基づき、前記被測定者の各足の接地タイミングを順次抽出する抽出手段と、
前記加速度情報に基づき、前記被測定者の進行方向逆向きの加速度を微分して微分信号を導出する導出手段と、
前記導出手段によって導出された前記微分信号の時間軸に対する波形において、前記抽出手段によって抽出された一の足の接地タイミングの直後に現れる極大点を離地タイミングとして推定する推定手段と、
を備えることを特徴とする請求項１又は２に記載のランニング解析装置。
【請求項４】
被測定者に装着された加速度センサから取得される加速度情報に基づき前記被測定者のランニングを解析するランニング解析方法であって、
前記被測定者のランニング中に前記加速度センサで検出された前記被測定者の進行方向に対して垂直方向上向きの加速度に対応する加速度情報を取得する工程と、
取得された前記加速度情報が示す前記垂直方向上向きの加速度の最低値が所定の閾値以上である場合、両足が地面に接地している期間を有する走法であると前記被測定者の走法を判断する工程と、
を含むことを特徴とするランニング解析方法。
【請求項５】
被測定者に装着された加速度センサから取得される加速度情報に基づき前記被測定者のランニングを解析するランニング解析装置のコンピュータを、
前記被測定者のランニング中に前記加速度センサで検出された前記被測定者の進行方向に対して垂直方向上向きの加速度に対応する加速度情報を取得する取得手段、
前記取得手段によって取得された前記加速度情報が示す前記垂直方向上向きの加速度の最低値が所定の閾値以上である場合、両足が地面に接地している期間を有する走法であると前記被測定者の走法を判断する判断手段、
として機能させることを特徴とするランニング解析プログラム。
【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
設定値を設定可能な遊技機であって、
乱数値を抽出するとともに遊技の進行を制御する遊技制御手段と、
前記遊技制御手段から出力されたコマンドに基づいて演出を制御する演出制御手段と、
表示手段と、
演出を実行する演出実行手段と、を備え、
前記遊技制御手段は、
前記乱数値に基づいて可変表示を実行可能であり、
前記乱数値を加工した特定コマンドを前記演出制御手段に出力し、
前記演出制御手段は、前記遊技制御手段から出力された前記特定コマンドから前記乱数値を復元し、復元された前記乱数値に基づいて可変表示に対応した演出を制御し、
前記可変表示に対応した演出は、前記特定コマンドを送信する契機となった可変表示に関する先読み演出を含み、
前記演出実行手段は、所定演出と特定演出とを実行可能であり、
前記表示手段は、
前記所定演出が実行されることに対応して該所定演出が実行されている旨を示す文字情報を含む第１関連表示を該文字情報が移動する態様で表示し、
前記第１関連表示を表示しているときに前記特定演出が実行されることに対応して該第１関連表示が表示されている表示領域を縮小表示する場合において、該第１関連表示が表示される第１表示領域と、該第１関連表示が表示されず該第１表示領域の背景色と異なる色となる第２表示領域と、が前記表示手段の表示領域に形成されるように該第１関連表示を縮小表示し、かつ縮小表示された該第１関連表示の文字情報が移動する態様で前記文字情報を表示し、
前記第１関連表示を表示しているときに前記特定演出が実行されることに対応して該第１関連表示が表示されている表示領域を縮小表示する場合において、エラーが発生したときに、前記第１表示領域と前記第２表示領域とに跨って該エラーに関連する第２関連表示を表示し、かつ前記特定演出が実行されないときと同じ態様で該第２関連表示を表示し、
前記第１表示領域と前記第２表示領域とに跨って表示される前記第２関連表示を、該第１表示領域に表示されている前記エラーに関連する情報と、該第２表示領域に表示されている該エラーに関連する情報とが同一の視認性となるように表示する、遊技機。
【手続補正２】
【補正対象書類名】明細書
【補正対象項目名】０００６
【補正方法】変更
【補正の内容】
【０００６】
（Ａ）上記目的を達成するため、本願発明に係る遊技機は、
設定値を設定可能な遊技機であって、
乱数値を抽出するとともに遊技の進行を制御する遊技制御手段と、
前記遊技制御手段から出力されたコマンドに基づいて演出を制御する演出制御手段と、
表示手段と、
演出を実行する演出実行手段と、を備え、
前記遊技制御手段は、
前記乱数値に基づいて可変表示を実行可能であり、
前記乱数値を加工した特定コマンドを前記演出制御手段に出力し、
前記演出制御手段は、前記遊技制御手段から出力された前記特定コマンドから前記乱数値を復元し、復元された前記乱数値に基づいて可変表示に対応した演出を制御し、
前記可変表示に対応した演出は、前記特定コマンドを送信する契機となった可変表示に関する先読み演出を含み、
前記演出実行手段は、所定演出と特定演出とを実行可能であり、
前記表示手段は、
前記所定演出が実行されることに対応して該所定演出が実行されている旨を示す文字情報を含む第１関連表示を該文字情報が移動する態様で表示し、
前記第１関連表示を表示しているときに前記特定演出が実行されることに対応して該第１関連表示が表示されている表示領域を縮小表示する場合において、該第１関連表示が表示される第１表示領域と、該第１関連表示が表示されず該第１表示領域の背景色と異なる色となる第２表示領域と、が前記表示手段の表示領域に形成されるように該第１関連表示を縮小表示し、かつ縮小表示された該第１関連表示の文字情報が移動する態様で前記文字情報を表示し、
前記第１関連表示を表示しているときに前記特定演出が実行されることに対応して該第１関連表示が表示されている表示領域を縮小表示する場合において、エラーが発生したときに、前記第１表示領域と前記第２表示領域とに跨って該エラーに関連する第２関連表示を表示し、かつ前記特定演出が実行されないときと同じ態様で該第２関連表示を表示し、
前記第１表示領域と前記第２表示領域とに跨って表示される前記第２関連表示を、該第１表示領域に表示されている前記エラーに関連する情報と、該第２表示領域に表示されている該エラーに関連する情報とが同一の視認性となるように表示する。
（１）上記目的を達成するため、他の態様に係る遊技機は、
遊技者にとって有利度が異なる複数の設定値のうちいずれかの設定値に設定可能な遊技機（例えば、パチンコ遊技機１等）であって、
遊技の進行を制御する遊技制御手段（例えば、ＣＰＵ１０３）と、
前記遊技制御手段から出力されたコマンドに基づいて演出を制御する演出制御手段（例えば、演出制御用ＣＰＵ１２０等）と、
乱数値（例えば、ＭＲ１〜ＭＲ３等）を抽出する抽出手段（例えば、図５のＳ１０１等）と、
表示手段（例えば、画像表示装置５等）と、
前記表示手段に表示される複数の表示に共通の変化を与える特定演出を実行する特定演出手段（例えば、演出制御用ＣＰＵ１２０が、画像表示装置５に表示される複数の表示を共通の縮小率で縮小させる縮小演出を実行可能であること等）とを備え、
前記遊技制御手段は、
前記抽出手段から抽出された前記乱数値に基づいて可変表示を実行可能であり（例えば、図５のＳ１１２等）、
前記乱数値を加工した（例えば、図８−４の８３ＦＳ０３１等）特定コマンド（例えば、乱数値送信用コマンド１〜４等）を前記演出制御手段に出力し（例えば、図８−４の８３ＦＳ０３１、図４のＳ２７等）、
前記演出制御手段は、前記遊技制御手段から出力された前記特定コマンドから前記乱数値を復元し（例えば、図８−５の８３ＦＳ０４２等）、復元された前記乱数値に基づいて可変表示に対応した演出（例えば、先読み予告演出）を制御し（例えば、図８−６の８３ＦＳ０６６等）、
前記表示手段は、
所定状態に関連する関連表示（例えば、大当り中演出の実行中であることを報知する大当りテロップ画像３８ＳＨ１０や、下皿が満タンになっている異常を報知するエラーテロップ画像３８ＳＨ９０等）を表示可能であり、
関連表示として、前記特定演出による変化を受ける第１関連表示（例えば、縮小演出による変化を受ける大当りテロップ画像３８ＳＨ１０等）と、前記特定演出による変化を受けない第２関連表示（例えば、縮小演出による変化を受けないエラーテロップ画像３８ＳＨ９０等）とを表示可能である。
【手続補正３】
【補正対象書類名】明細書
【補正対象項目名】０２２５
【補正方法】変更
【補正の内容】
【０２２５】
図８−５は、先読み変動パターンコマンド解析処理として、図６のＳ７５で実行される処理の一例を示すフローチャートである。演出制御用ＣＰＵ１２０は、先読み演出に関する特定条件が成立したときに、先読み変動パターンコマンド解析処理において、ＣＰＵ１０３が図８−４の８３ＦＳ０３２により送信した乱数値送信用コマンド１〜４を解析する処理をする。
【手続補正書】
【提出日】令和3年4月16日(2021.4.16)
【手続補正１】
【補正対象書類名】特許請求の範囲
【補正対象項目名】全文
【補正方法】変更
【補正の内容】
【特許請求の範囲】
【請求項１】
基板と、
前記基板の少なくとも一方の面に搭載された電子部品と、
前記電子部品の搭載により形成された段差部および基板の一部を被覆し、電磁波反射層および電磁波吸収層の少なくとも一方の層を有する電磁波シールド層と、
を備える電磁波シールド層付き部品搭載基板における電磁波シールド層を形成するための熱プレス前の電磁波シールドシートであって、
前記電磁波反射層を形成するための熱プレス前の導電層は、バインダー樹脂および導電性フィラーを含み、
前記電磁波吸収層を形成するための熱プレス前の導電層は、バインダー樹脂および電波吸収性フィラーを含み、
かつ導電層の２３℃におけるヤング率が１０〜７００ＭＰａであることを特徴とする電磁波シールドシート。
（但し、
基板と、
前記基板の少なくとも一方の面に搭載された電子部品と、
前記電子部品の搭載により形成された段差部および基板の一部を被覆する電磁波シールド層と、
を備える部品搭載基板に用いられる前記電磁波シールド層を形成するための熱プレス前の電磁波シールドシートであって、
前記電磁波シールドシートは少なくとも導電層を有し、
前記導電層は、バインダー樹脂および導電性フィラーを含み、
かつ導電層の２３℃におけるヤング率が１０〜７００ＭＰａであり、
導電層の硬化度が６０〜９９％であり、
導電層の厚みが１６〜９０μｍであることを特徴とする電磁波シールドシート  を除く。）
【請求項２】
前記導電層の８０℃におけるヤング率が５〜８５ＭＰａであることを特徴とする請求項１記載の電磁波シールドシート。
【請求項３】
加熱前の導電層のガラス転移温度（Ｔｇ）は−１５℃〜３０℃であることを特徴とする請求項１または２記載の電磁波シールドシート。
【請求項４】
基板の少なくとも一方の面への電子部品の搭載により形成された段差部の溝と、
搭載された電子部品の天面と、
基板の露出した面とが、
電磁波反射層および電磁波吸収層の少なくとも一方の層を有する電磁波シールド層で被覆されている、電磁波シールド層付き電子部品搭載基板であって、
前記電磁波反射層は、バインダー樹脂および導電性フィラーを含む導電層を熱プレスした後の硬化物であり、
前記電磁波吸収層は、バインダー樹脂および電波吸収性フィラーを含む導電層を熱プレスした後の硬化物であり、
かつ導電層の２３℃におけるヤング率が１０〜７００ＭＰａであり、
導電層を１８０℃２時間加熱した後の硬化物である電磁波シールド層のガラス転移温度（Ｔｇ）は２０〜８０℃である、
電磁波シールド層付き電子部品搭載基板。
【請求項５】
請求項４記載の電磁波シールド層付き電子部品搭載基板を具備する電子機器。
【請求項６】
バインダー樹脂と、導電性フィラーまたは電波吸収性フィラーの少なくとも一方を含み、２３℃におけるヤング率が１０〜７００ＭＰａである導電層を有する電磁波シールドシートを、
基板の少なくとも一方の面への電子部品の搭載により形成された段差部を有する電子部品搭載基板上に載置し、
熱プレスし、
段差部の溝と、搭載された電子部品の天面と、基板の露出した面とを、
導電層の硬化物である電磁波シールド層で被覆する、
電磁波シールド層付き電子部品搭載基板の製造方法。
【手続補正２】
【補正対象書類名】明細書
【補正対象項目名】００３５
【補正方法】変更
【補正の内容】
【００３５】
さらに導電層は、８０℃におけるヤング率が５〜８５ＭＰａが好ましく、９〜６５ＭＰａがより好ましく、１３〜６０ＭＰａがさらに好ましい。８０℃におけるヤング率を５〜８５ＭＰａとすることで熱プレス時の伸びが良好となり埋め込み性とグランド接続性を良好なものとすることができる。
【手続補正書】
【提出日】令和2年12月7日(2020.12.7)
【手続補正１】
【補正対象書類名】特許請求の範囲
【補正対象項目名】請求項７
【補正方法】変更
【補正の内容】
【請求項７】
前記軸部の前記テーパ部が、前記軸部よりも軸直角方向の寸法が大きくされた拡幅部を有しており、前記拡幅部と前記軸部の間に段差面が形成されている請求項６に記載の電気接続箱。
【手続補正２】
【補正対象書類名】明細書
【補正対象項目名】００２１
【補正方法】変更
【補正の内容】
【００２１】
本発明の第七の態様は、前記第六の態様に記載のものにおいて、前記軸部の前記テーパ部が、前記軸部よりも軸直角方向の寸法が大きくされた拡幅部を有しており、前記拡幅部と前記軸部の間に段差面が形成されているものである。
【手続補正３】
【補正対象書類名】明細書
【補正対象項目名】００４０
【補正方法】変更
【補正の内容】
【００４０】
以上、本発明の実施形態について説明してきたが、かかる実施形態における具体的な記載によって、本発明は、何等限定されるものでない。例えば、上記実施形態では、放熱部材保持部５２の軸部５６の先端部が全体として箱本体１２側に向かって先細となるテーパ部６０を有していたが、図６に示す本実施形態の他の態様としての放熱部材保持部７２の軸部７４のように、軸部７４の先端部に設けられたテーパ部７６が軸部７４よりも軸直角方向の寸法が大きくされた（図６中、Ｒ＞ｒ）拡幅部７８を有しており、拡幅部７８と軸部７４の間に段差面８０が形成されていてもよい。これにより、テーパ部７６の拡幅部７８と軸部７４の間に形成された段差面８０がアンカー機能を発揮して、放熱部材保持部７２の周壁部５４から突出する可塑性放熱部材６４の一部をより一層安定して保持することができる。なお、段差面８０は図６に示す天壁部４２の内面４８に平行なものに限定されず、天壁部４２の内面４８に向かって傾斜するようになっていてもよいし、天壁部４２の内面４８から離隔する方向に向かって傾斜するようになっていてもよい。また、上記実施形態では、放熱部材保持部５２，７２の周壁部５４は円筒形状とされていたが、四角形状や多角形形状や十字形状や星形状等の任意の形状のものが採用可能である。
【手続補正書】
【提出日】令和2年12月7日(2020.12.7)
【手続補正１】
【補正対象書類名】明細書
【補正対象項目名】００３７
【補正方法】変更
【補正の内容】
【００３７】
また、天壁部１６ｂの周壁６０の下方側開口部６４には、箱本体１２との当接面６８よりも外周側に位置して下方に突出する水入り防止壁６６が突設されている。それゆえ、天壁部１６ｂが被水して水が天壁部１６ｂと枠体周壁部１６ａの間に入り込んだ場合であっても、箱本体１２内への水の浸入を水入り防止壁６６で確実に防止することができるので、アッパカバー１６を天壁部１６ｂと枠体周壁部１６ａに分割した構造とした場合の防水性を一層有利に確保することができる。
【手続補正書】
【提出日】令和3年9月2日(2021.9.2)
【手続補正１】
【補正対象書類名】特許請求の範囲
【補正対象項目名】全文
【補正方法】変更
【補正の内容】
【特許請求の範囲】
【請求項１】
遊技機裏面側の上部に備えられており、島設備から供給される遊技球を貯留可能な貯留領域を有する貯留部と、
前記貯留領域に貯留されている遊技球を、所定の払出装置が位置する下流側に向けて球誘導可能なタンクレール部と、
を具備する遊技機において、
前記貯留領域の上方開口を区画する区画壁部と、
前記区画壁部により区画された前記上方開口の外側に形成された非貯留領域部と、
備え、
所定事象によって前記非貯留領域部に位置した遊技球を前記タンクレール部に流入させうるように、前記タンクレール部側に向けて遊技球を誘導可能な特定傾斜面が前記非貯留領域部に形成されてなり、
前記タンクレール部には、上方の開口の一部を閉鎖する特定部材が設けられており、
前記特定傾斜面を流下した遊技球は、前記特定部材により閉鎖されずに露呈している所定の開口箇所を通じて前記タンクレール部に流入しうるものであり、
前記タンクレール部の側壁部のうち、前記所定の開口箇所を形成する側壁部の高さは、遊技球の直径の２倍よりも大きいものであり、
前記特定傾斜面を流下した遊技球が停留しないように、前記特定傾斜面の下流端は立壁が設けられずに開放されてなる
ことを特徴とする遊技機。
【手続補正２】
【補正対象書類名】明細書
【補正対象項目名】０００４
【補正方法】変更
【補正の内容】
【０００４】
しかしながら、以下の特許文献１に記載のような従来の遊技機構成では、遊技機裏面側の利便性の更なる向上を図ることが困難であった。
【手続補正３】
【補正対象書類名】明細書
【補正対象項目名】０００５
【補正方法】変更
【補正の内容】
【０００５】
本発明は、このような事情に鑑みてなされたものであり、その目的とするところは、裏面側を新たな態様にした遊技機を提供することにある。
【手続補正４】
【補正対象書類名】明細書
【補正対象項目名】０００６
【補正方法】変更
【補正の内容】
【０００６】
本発明は、
遊技機裏面側の上部に備えられており、島設備から供給される遊技球を貯留可能な貯留領域を有する貯留部と、
前記貯留領域に貯留されている遊技球を、所定の払出装置が位置する下流側に向けて球誘導可能なタンクレール部と、
を具備する遊技機において、
前記貯留領域の上方開口を区画する区画壁部と、
前記区画壁部により区画された前記上方開口の外側に形成された非貯留領域部と、
備え、
所定事象によって前記非貯留領域部に位置した遊技球を前記タンクレール部に流入させうるように、前記タンクレール部側に向けて遊技球を誘導可能な特定傾斜面が前記非貯留領域部に形成されてなり、
前記タンクレール部には、上方の開口の一部を閉鎖する特定部材が設けられており、
前記特定傾斜面を流下した遊技球は、前記特定部材により閉鎖されずに露呈している所定の開口箇所を通じて前記タンクレール部に流入しうるものであり、
前記タンクレール部の側壁部のうち、前記所定の開口箇所を形成する側壁部の高さは、遊技球の直径の２倍よりも大きいものであり、
前記特定傾斜面を流下した遊技球が停留しないように、前記特定傾斜面の下流端は立壁が設けられずに開放されてなる
ことを特徴とする。
【手続補正５】
【補正対象書類名】明細書
【補正対象項目名】０００８
【補正方法】変更
【補正の内容】
【０００８】
本発明によれば、利便性を向上させた遊技機を提供することができる。
【手続補正書】
【提出日】令和3年8月20日(2021.8.20)
【手続補正１】
【補正対象書類名】特許請求の範囲
【補正対象項目名】全文
【補正方法】変更
【補正の内容】
【特許請求の範囲】
【請求項１】
遊技球が流下可能な遊技盤を有する遊技機において、
前記遊技盤に設けられる始動口への入球に基づいて判定を行う判定手段と、
前記判定手段による判定の結果に基づいて図柄変動を行う図柄変動手段と、
前記図柄変動にて所定の態様が現れると、遊技者に特典を付与しうる特典付与手段と、
演出に関わる制御を行う演出制御手段と、
前記演出制御手段による制御によって動作可能な可動体と
を備え、
前記演出制御手段は、
前記可動体を動作させる可動体動作時期が予め設定されている特定状態を、前記始動口への入球とは別の特定条件が成立したことに基づいて発生可能な特定状態発生手段
を有しており、
前記特定状態が発生したときに前記図柄変動が実行途中の状況にある場合、該実行途中の状況にある図柄変動が停止されるまでの所定期間においては、前記図柄変動の変動パターンに応じた演出表示と、前記図柄変動の変動パターンに応じた前記可動体による演出動作と、特定の復元時期が到来したことに基づいて正常位置にない前記可動体に復元動作を行わせる処理と、のいずれもが実行されないようにされており、
前記所定期間が終了した場合であっても、前記特定状態内における可動体動作時期に基づく前記可動体による動作が未だ完了されていないときには、前記図柄変動の変動パターンに応じた演出表示は実行可能とされるが、前記図柄変動の変動パターンに応じた前記可動体による演出動作と、前記特定の復元時期が到来したことに基づいて正常位置にない前記可動体に復元動作を行わせる処理と、はいずれも実行されないようになっており、
さらに、
前記所定期間の終了後に前記特典を付与する場合、前記特定状態内における可動体動作時期に基づく前記可動体による動作が未だ完了されていないときには、前記可動体による動作が行われているなかで前記特典を付与しうる
ことを特徴とする遊技機。
【手続補正２】
【補正対象書類名】明細書
【補正対象項目名】０００６
【補正方法】変更
【補正の内容】
【０００６】
本発明は、
遊技球が流下可能な遊技盤を有する遊技機において、
前記遊技盤に設けられる始動口への入球に基づいて判定を行う判定手段と、
前記判定手段による判定の結果に基づいて図柄変動を行う図柄変動手段と、
前記図柄変動にて所定の態様が現れると、遊技者に特典を付与しうる特典付与手段と、
演出に関わる制御を行う演出制御手段と、
前記演出制御手段による制御によって動作可能な可動体と
を備え、
前記演出制御手段は、
前記可動体を動作させる可動体動作時期が予め設定されている特定状態を、前記始動口への入球とは別の特定条件が成立したことに基づいて発生可能な特定状態発生手段
を有しており、
前記特定状態が発生したときに前記図柄変動が実行途中の状況にある場合、該実行途中の状況にある図柄変動が停止されるまでの所定期間においては、前記図柄変動の変動パターンに応じた演出表示と、前記図柄変動の変動パターンに応じた前記可動体による演出動作と、特定の復元時期が到来したことに基づいて正常位置にない前記可動体に復元動作を行わせる処理と、のいずれもが実行されないようにされており、
前記所定期間が終了した場合であっても、前記特定状態内における可動体動作時期に基づく前記可動体による動作が未だ完了されていないときには、前記図柄変動の変動パターンに応じた演出表示は実行可能とされるが、前記図柄変動の変動パターンに応じた前記可動体による演出動作と、前記特定の復元時期が到来したことに基づいて正常位置にない前記可動体に復元動作を行わせる処理と、はいずれも実行されないようになっており、
さらに、
前記所定期間の終了後に前記特典を付与する場合、前記特定状態内における可動体動作時期に基づく前記可動体による動作が未だ完了されていないときには、前記可動体による動作が行われているなかで前記特典を付与しうる
ことを特徴とする。
【手続補正３】
【補正対象書類名】明細書
【補正対象項目名】０００７
【補正方法】削除
【補正の内容】
【手続補正書】
【提出日】令和3年10月29日(2021.10.29)
【手続補正１】
【補正対象書類名】特許請求の範囲
【補正対象項目名】全文
【補正方法】変更
【補正の内容】
【特許請求の範囲】
【請求項１】
取得条件の成立に基づいて情報を取得可能な取得手段と、
その取得手段により取得された前記情報が記憶される記憶手段と、
その記憶手段に記憶された前記情報に基づいて判定を実行する判定手段と、
その判定手段による判定結果を示すための識別情報を所定期間、表示手段に動的表示することが可能な動的表示手段と、
前記表示手段に特定の前記判定結果を示すための識別情報が停止表示された場合に遊技者に有利となる特典遊技を実行することが可能な特典遊技実行手段と、を有した遊技機において、
前記判定手段により判定される前の前記記憶手段に記憶されている前記情報のそれぞれに対応する図柄を前記表示手段に表示させることが可能な図柄表示手段と、
前記図柄表示手段に前記図柄が表示される領域の表示態様を可変させる図柄表示領域可変手段と、を有し、
前記図柄表示手段は、前記図柄が表示される領域であることを示す領域情報を前記図柄が表示されていない状態であっても表示可能であり、
前記遊技機は、前記図柄が表示されていない前記領域情報が可変されて表示された場合に特定演出を実行することが可能な手段を有することを特徴とする遊技機。
【手続補正２】
【補正対象書類名】明細書
【補正対象項目名】０００１
【補正方法】変更
【補正の内容】
【０００１】
本発明は、パチンコ機に代表される遊技機に関するものである。
【手続補正３】
【補正対象書類名】明細書
【補正対象項目名】０００２
【補正方法】変更
【補正の内容】
【０００２】
従来より、始動口への遊技球の入賞に伴って抽選を行い、その抽選結果に応じた変動演出や大当たり演出を、液晶画面上に表示するパチンコ機が知られている。かかる演出では、遊技者に期待感を持たせるための演出や、遊技者の遊技への参加意欲を高めるための演出など、様々なパターンの演出が実行され、遊技の興趣向上が図られている。
この種のパチンコ機等において、変動演出が実行されている期間に始動口へ遊技球が入球することで、抽選が実行される権利が保留球情報として記憶されて、その保留球情報の個数が表示手段に表示される遊技機が提案されている。
【手続補正４】
【補正対象書類名】明細書
【補正対象項目名】０００３
【補正方法】変更
【補正の内容】
【０００３】
【特許文献１】特開２０１０−０７５７４１号公報
【手続補正５】
【補正対象書類名】明細書
【補正対象項目名】０００４
【補正方法】変更
【補正の内容】
【０００４】
しかしながら、更なる興趣の向上が求められている。
【手続補正６】
【補正対象書類名】明細書
【補正対象項目名】０００５
【補正方法】変更
【補正の内容】
【０００５】
本発明は、上記例示した問題点等を解決するためになされたものであり、遊技者の遊技に対する興趣を向上させることができる遊技機を提供することを目的とする。
【手続補正７】
【補正対象書類名】明細書
【補正対象項目名】０００６
【補正方法】変更
【補正の内容】
【０００６】
この目的を達成するために請求項１記載の遊技機は、取得条件の成立に基づいて情報を取得可能な取得手段と、その取得手段により取得された前記情報が記憶される記憶手段と、その記憶手段に記憶された前記情報に基づいて判定を実行する判定手段と、その判定手段による判定結果を示すための識別情報を所定期間、表示手段に動的表示することが可能な動的表示手段と、前記表示手段に特定の前記判定結果を示すための識別情報が停止表示された場合に遊技者に有利となる特典遊技を実行することが可能な特典遊技実行手段と、を有し、前記判定手段により判定される前の前記記憶手段に記憶されている前記情報のそれぞれに対応する図柄を前記表示手段に表示させることが可能な図柄表示手段と、前記図柄表示手段に前記図柄が表示される領域の表示態様を可変させる図柄表示領域可変手段と、を有し、前記図柄表示手段は、前記図柄が表示される領域であることを示す領域情報を前記図柄が表示されていない状態であっても表示可能であり、前記遊技機は、前記図柄が表示されていない前記領域情報が可変されて表示された場合に特定演出を実行することが可能な手段を有する。
【手続補正８】
【補正対象書類名】明細書
【補正対象項目名】０００９
【補正方法】変更
【補正の内容】
【０００９】
請求項１記載の遊技機によれば、取得条件の成立に基づいて情報を取得可能な取得手段と、その取得手段により取得された前記情報が記憶される記憶手段と、その記憶手段に記憶された前記情報に基づいて判定を実行する判定手段と、その判定手段による判定結果を示すための識別情報を所定期間、表示手段に動的表示することが可能な動的表示手段と、前記表示手段に特定の前記判定結果を示すための識別情報が停止表示された場合に遊技者に有利となる特典遊技を実行することが可能な特典遊技実行手段と、を有し、前記判定手段により判定される前の前記記憶手段に記憶されている前記情報のそれぞれに対応する図柄を前記表示手段に表示させることが可能な図柄表示手段と、前記図柄表示手段に前記図柄が表示される領域の表示態様を可変させる図柄表示領域可変手段と、を有し、前記図柄表示手段は、前記図柄が表示される領域であることを示す領域情報を前記図柄が表示されていない状態であっても表示可能であり、前記遊技機は、前記図柄が表示されていない前記領域情報が可変されて表示された場合に特定演出を実行することが可能な手段を有する。
【手続補正９】
【補正対象書類名】明細書
【補正対象項目名】００１０
【補正方法】変更
【補正の内容】
【００１０】
よって、遊技者の遊技に対する興趣を向上させることができるという効果がある。
【手続補正１０】
【補正対象書類名】明細書
【補正対象項目名】５８３１
【補正方法】変更
【補正の内容】
【５８３１】
１０                        パチンコ機（遊技機）
１１４ 表示制御装置（動的表示手段）
２０３ａ 特別図柄１保留球格納エリア（記憶手段）
２０３ｂ 特別図柄２保留球格納エリア（記憶手段）
Ｚ２５５，Ｚ２７５ 判定手段
Ｚ３０７，Ｚ３１５ 取得手段
Ｚ１００４ 特典遊技実行手段
Ｚ２１０６ 図柄表示手段
Ｚ２２２９ 図柄表示領域可変手段
【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
送風部と、前記送風部を左右方向に首振り可能に支持する支持部と、前記支持部から前記送風部に電力を供給する電気ケーブルと、
を備え、
前記支持部は、前記送風部の左右首振りの中心軸と、前記中心軸に一体化された固定板と、左右首振り用のモーターと、前記モーターに駆動されて前記送風部を前記中心軸廻りに回動させるリンク機構と、を有し、
前記固定板には、前記電気ケーブルが前記リンク機構に接触するのを防止する突出部が形成されている送風機。
【請求項２】
前記固定板には、前記突出部と上下方向における反対の面から突出状のリブが形成されており、
前記電気ケーブルが、前記リブに引っ掛けられている請求項１に記載の送風機。
【請求項３】
前記支持部は、前記送風部を上下方向に回動自在に枢着する支持脚を有し、
前記送風部は、上下首振りの軸部から前記電気ケーブルを引き出している請求項１又は２に記載の送風機。
【請求項４】
前記支持部は、前記送風部から引き出された前記電気ケーブルを、前記支持脚の内部に収容している請求項３に記載の送風機。
【手続補正２】
【補正対象書類名】明細書
【補正対象項目名】００１０
【補正方法】変更
【補正の内容】
【００１０】
本実施の形態の一態様によれば、送風部と、前記送風部を左右方向に首振り可能に支持する支持部と、前記支持部から前記送風部に電力を供給する電気ケーブルと、を備え、前記支持部は、前記送風部の左右首振りの中心軸と、前記中心軸に一体化された固定板と、左右首振り用のモーターと、前記モーターに駆動されて前記送風部を前記中心軸廻りに回動させるリンク機構と、を有し、前記固定板には、前記電気ケーブルが前記リンク機構に接触するのを防止する突出部が形成されている送風機が提供される。
【手続補正書】
【提出日】令和3年8月20日(2021.8.20)
【手続補正１】
【補正対象書類名】特許請求の範囲
【補正対象項目名】全文
【補正方法】変更
【補正の内容】
【特許請求の範囲】
【請求項１】
識別情報の可変表示を行い、特定表示結果を導出表示したときに遊技者にとって有利な有利状態に制御可能な遊技機であって、
特定条件が成立したときに遊技者にとって有利度が異なる複数の設定値のうちいずれかの設定値に設定可能な設定許可状態に移行させることが可能であるとともに、確認条件が成立したときに設定されている設定値の確認を行うことが可能な設定確認状態に移行させることが可能な設定手段と、
遊技に使用された遊技媒体の数に対して、付与した遊技価値の割合を示す特別情報を表示可能な特別情報表示手段と、
前記設定手段によって設定された設定値にもとづいて前記有利状態に関する制御を実行可能な遊技制御手段と、
前記遊技制御手段により制御され、少なくとも前記可変表示を行うことが可能な可変表示部を含む情報表示部と、
前記可変表示に関する情報を保留情報として記憶可能な保留記憶手段と、
所定演出を実行可能な所定演出実行手段と、を備え、
前記情報表示部は、前記可変表示部と異なり、前記保留記憶手段が記憶する保留情報の数を特定可能な保留表示を行うことが可能な保留表示部を含み、
前記設定許可状態に移行する場合は、前記保留記憶手段に記憶されている保留記憶は消去されるが、前記設定確認状態に移行する場合は、前記保留記憶手段に記憶されている保留記憶は消去されず、
前記所定演出実行手段は、前記所定演出として、前記有利状態に制御されることの示唆を行う第１結果演出と、設定値に関する示唆を行う第２結果演出と、を実行可能であり、
前記設定許可状態に移行したときに前記可変表示の実行中には表示されない特定表示を前記情報表示部において行うことが可能であり、所定のエラーが発生した場合に該所定のエラーが発生したことを特定可能な特殊表示を前記情報表示部において行うことが可能であり、
前記特別情報表示手段は、
前記設定値に関する情報を表示可能であり、
前記特別情報を表示する第１表示領域と、前記特別情報の集計期間を示す期間情報を表示する第２表示領域とを含み、
当該遊技機の電力の供給が開始されたときに、前記第１表示領域と前記第２表示領域とにおいて前記特別情報と前記期間情報とを表示せず、特殊報知表示を行う、遊技機。
【手続補正２】
【補正対象書類名】明細書
【補正対象項目名】０００６
【補正方法】変更
【補正の内容】
【０００６】
（Ａ）  識別情報の可変表示を行い、特定表示結果を導出表示したときに遊技者にとって有利な有利状態に制御可能な遊技機であって、
特定条件が成立したときに遊技者にとって有利度が異なる複数の設定値のうちいずれかの設定値に設定可能な設定許可状態に移行させることが可能であるとともに、確認条件が成立したときに設定されている設定値の確認を行うことが可能な設定確認状態に移行させることが可能な設定手段と、
遊技に使用された遊技媒体の数に対して、付与した遊技価値の割合を示す特別情報を表示可能な特別情報表示手段と、
前記設定手段によって設定された設定値にもとづいて前記有利状態に関する制御を実行可能な遊技制御手段と、
前記遊技制御手段により制御され、少なくとも前記可変表示を行うことが可能な可変表示部を含む情報表示部と、
前記可変表示に関する情報を保留情報として記憶可能な保留記憶手段と、
所定演出を実行可能な所定演出実行手段と、を備え、
前記情報表示部は、前記可変表示部と異なり、前記保留記憶手段が記憶する保留情報の数を特定可能な保留表示を行うことが可能な保留表示部を含み、
前記設定許可状態に移行する場合は、前記保留記憶手段に記憶されている保留記憶は消去されるが、前記設定確認状態に移行する場合は、前記保留記憶手段に記憶されている保留記憶は消去されず、
前記所定演出実行手段は、前記所定演出として、
前記有利状態に制御されることの示唆を行う第１結果演出と、
設定値に関する示唆を行う第２結果演出と、を実行可能であり、
前記設定許可状態に移行したときに前記可変表示の実行中には表示されない特定表示を前記情報表示部において行うことが可能であり、所定のエラーが発生した場合に該所定のエラーが発生したことを特定可能な特殊表示を前記情報表示部において行うことが可能であり、
前記特別情報表示手段は、
前記設定値に関する情報を表示可能であり、
前記特別情報を表示する第１表示領域と、前記特別情報の集計期間を示す期間情報を表示する第２表示領域とを含み、
当該遊技機の電力の供給が開始されたときに、前記第１表示領域と前記第２表示領域とにおいて前記特別情報と前記期間情報とを表示せず、特殊報知表示を行う、遊技機。
（１）  特別識別情報（例えば、特別図柄）の可変表示を行い、表示結果が特定結果（例えば、大当り表示結果）となったことに基づいて、第１可変入賞手段（例えば、特別可変入賞球装置７）を遊技媒体（例えば、遊技球）が進入し易い特定態様（例えば、開状態）に変化させることが可能な遊技機（例えば、パチンコ遊技機１）であって、
普通識別情報（例えば、普通図柄）の可変表示を行い、表示結果が所定結果（例えば、普図当り）となったことに基づいて、第２可変入賞手段（例えば、可変入賞球装置６Ｂ）を遊技媒体が進入し易い所定態様（例えば、開状態）に変化させることが可能であり、
所定演出（例えば、図１０−１に示す所定演出）を実行可能な所定演出実行手段（例えば、演出制御用ＣＰＵ１２０）を備え、
設定変更操作に基づいて、遊技者にとっての有利度（例えば、大当り確率）が異なる複数種類の設定値（例えば、設定値１〜６）のうちからいずれかの設定値を設定可能であり、
前記所定演出実行手段は、前記所定演出として、
前記第１可変入賞手段が前記特定態様に変化することを示唆する第１結果演出（例えば、特図連動演出による特別可変入賞球装置７が開状態に変化することにより大当りとなることを示す演出）と、
前記第２可変入賞手段が前記所定態様に変化することを示唆する第２結果演出（例えば、普図連動演出による可変入賞球装置６Ｂが開状態に変化することにより電チュー開放を示す演出）と、
設定値に関する示唆を行う第３結果演出（例えば、設定示唆連動演出として設定値を示唆する演出）とを実行可能である。
【手続補正書】
【提出日】令和3年10月22日(2021.10.22)
【手続補正１】
【補正対象書類名】特許請求の範囲
【補正対象項目名】全文
【補正方法】変更
【補正の内容】
【特許請求の範囲】
【請求項１】
連続気泡発泡体シート製の第一基材と、
連続気泡発泡体シート製の第二基材と、
前記第一基材及び前記第二基材の間に位置する中間繊維層と、
の積層体で構成されているフィルターであって、
ＢＦＥ捕集率が６０％以上であることを特徴とするフィルター。
【請求項２】
通気度が３０ｃｍ３／ｃｍ２・ｓｅｃ以上であることを特徴とする請求項１に記載のフィルター。
【請求項３】
前記第一基材又は前記第二基材が連続気泡ポリウレタン発泡体シート製であることを特徴とする請求項１または２に記載のフィルター。
【請求項４】
請求項１から３の何れか一項に記載のフィルターを備えるマスク。
【手続補正書】
【提出日】令和3年8月20日(2021.8.20)
【手続補正１】
【補正対象書類名】明細書
【補正対象項目名】００７８
【補正方法】変更
【補正の内容】
【００７８】
図９は、樋部４からオーバーフローした電解液の流速分布をシミュレーションにより示したグラフの例である。図９中の番号１〜３は、給液口２１の位置と対応する。図９に示すように、給液口２１付近から流出される電解液の流速は、長手方向においていずれも２．７〜３．５ｃｍ／ｓの範囲に抑えられており、樋部４からオーバーフローにより供給される電解液の流速を長手方向において一定範囲に平均化できていることが分かる。
【手続補正書】
【提出日】令和3年8月17日(2021.8.17)
【手続補正１】
【補正対象書類名】特許請求の範囲
【補正対象項目名】全文
【補正方法】変更
【補正の内容】
【特許請求の範囲】
【請求項１】
認識を行う学習済みの機械学習モデルに入力データを入力する入力手段と、
前記入力データが入力されて前記機械学習モデルが行った認識において根拠とされた前記入力データの特徴部分を特定する特定手段と、
特定された前記特徴部分の少なくとも一部を加工して加工データを取得する加工手段と、
前記加工データと、前記加工データの元となった前記入力データの分類を示す分類情報と、のペアに基づいて、データ拡張をするデータ拡張手段と、
を含むことを特徴とするデータ拡張システム。
【請求項２】
認識を行う学習済みの機械学習モデルに入力データを入力する入力手段と、
前記入力データが入力されて前記機械学習モデルが行った認識において根拠とされた前記入力データの特徴部分を特定する特定手段と、
前記特徴部分の少なくとも一部の特徴が低減又は消えて他の部分の特徴が学習されるように、前記特徴部分の少なくとも一部を加工して前記加工データを取得する加工手段と、
前記加工データに基づいて、データ拡張をするデータ拡張手段と、
を含むことを特徴とするデータ拡張システム。
【請求項３】
前記加工手段は、前記特徴部分の少なくとも一部を、前記データ拡張の結果が学習される機械学習モデルに認識させるための他のデータに差し替えることなく、前記特徴部分の少なくとも一部を加工する、
ことを特徴とする請求項１又は２に記載のデータ拡張システム。
【請求項４】
前記入力データは、前記機械学習モデルに入力される入力画像であり、
前記特定手段は、前記入力画像に含まれるオブジェクトの特徴部分を特定し、
前記加工手段は、前記特徴部分の少なくとも一部を、前記データ拡張の結果が学習される機械学習モデルにより分類させるための他のオブジェクトに差し替えることなく、前記特徴部分の少なくとも一部を加工して加工画像を取得し、
前記データ拡張手段は、前記加工画像に基づいて、前記データ拡張をする、
ことを特徴とする請求項３に記載のデータ拡張システム。
【請求項５】
前記データ拡張システムは、前記データ拡張の結果に基づいて、前記加工データが入力された場合に前記入力データと同じ分類が出力されるように、機械学習モデルの学習処理を実行する学習手段を更に含む、
ことを特徴とする請求項１〜４の何れかに記載のデータ拡張システム。
【請求項６】
認識を行う学習済みの機械学習モデルに入力データを入力する入力ステップと、
前記入力データが入力されて前記機械学習モデルが行った認識において根拠とされた前記入力データの特徴部分を特定する特定ステップと、
特定された前記特徴部分の少なくとも一部を加工して加工データを取得する加工ステップと、
前記加工データと、前記加工データの元となった前記入力データの分類を示す分類情報と、のペアに基づいて、データ拡張をするデータ拡張ステップと、
を含むことを特徴とするデータ拡張方法。
【請求項７】
認識を行う学習済みの機械学習モデルに入力データを入力する入力ステップと、
前記入力データが入力されて前記機械学習モデルが行った認識において根拠とされた前記入力データの特徴部分を特定する特定ステップと、
前記特徴部分の少なくとも一部の特徴が低減又は消えて他の部分の特徴が学習されるように、前記特徴部分の少なくとも一部を加工して前記加工データを取得する加工ステップと、
前記加工データに基づいて、データ拡張をするデータ拡張ステップと、
を含むことを特徴とするデータ拡張方法。
【請求項８】
認識を行う学習済みの機械学習モデルに入力データを入力する入力手段、
前記入力データが入力されて前記機械学習モデルが行った認識において根拠とされた前記入力データの特徴部分を特定する特定手段、
特定された前記特徴部分の少なくとも一部を加工して加工データを取得する加工手段、
前記加工データと、前記加工データの元となった前記入力データの分類を示す分類情報と、のペアに基づいて、データ拡張をするデータ拡張手段、
としてコンピュータを機能させるためのプログラム。
【請求項９】
認識を行う学習済みの機械学習モデルに入力データを入力する入力手段、
前記入力データが入力されて前記機械学習モデルが行った認識において根拠とされた前記入力データの特徴部分を特定する特定手段、
前記特徴部分の少なくとも一部の特徴が低減又は消えて他の部分の特徴が学習されるように、前記特徴部分の少なくとも一部を加工して前記加工データを取得する加工手段、
前記加工データに基づいて、データ拡張をするデータ拡張手段、
としてコンピュータを機能させるためのプログラム。